(57)【要約】【課題】操作手順情報に基づいて映像データを再生する技術を提供する。【解決手段】記憶媒体に記憶された映像データに対応して作成され、前記映像データ中の特定部分の映像を再生する操作手順、及び、前記映像データ中の特定部分の映像をスキップする操作手順を設定した操作手順情報を取得する取得手段と、前記取得した操作手順情報に従って前記映像データを再生する再生手段と、を備える映像再生装置。【選択図】図１
2016025470.tif 000002
【特許請求の範囲】
【請求項１】
記憶媒体に記憶された映像データに対応して作成され、前記映像データ中の特定部分の映像を再生する操作手順、及び、前記映像データ中の特定部分の映像をスキップする操作手順を設定した操作手順情報を取得する取得手段と、
前記取得した操作手順情報に従って前記映像データを再生する再生手段と、
を備える映像再生装置。
【請求項２】
前記映像データ中の特定部分の映像を再生させる操作手順、及び、前記映像情報中の特定部分の映像をスキップする操作手順を示す操作手順情報を作成する操作手順生成手段と、
前記操作手順情報をサーバに送信する送信手段と、
を更に備える請求項１に記載の映像再生装置。
【請求項３】
請求項１又は２に記載の映像再生装置と、前記映像再生装置に前記操作手順情報を提供するサーバとを備え、
前記サーバが、前記映像再生装置に提供した前記操作手順情報の履歴に基づいて、前記映像再生装置に提供する操作手順情報を決定するリコメンド手段を備える映像再生システム。
【請求項４】
記憶媒体に記憶された映像データに対応して作成され、前記映像データ中の特定部分の映像を再生する操作手順、及び、前記映像データ中の特定部分の映像をスキップする操作手順を設定した操作手順情報を取得するステップと、
前記取得した操作手順情報に従って前記映像データを再生するステップと、
をコンピュータが実行する映像再生方法。
【請求項５】
記憶媒体に記憶された映像データに対応して作成され、前記映像データ中の特定部分の映像を再生する操作手順、及び、前記映像データ中の特定部分の映像をスキップする操作手順を設定した操作手順情報を取得するステップと、
前記取得した操作手順情報に従って前記映像データを再生するステップと、
をコンピュータに実行させるための映像再生プログラム。
【発明の詳細な説明】
【技術分野】
【０００１】
本件は、テレビ等の映像を再生する技術に関する。
【背景技術】
【０００２】
近年、デジタル放送の開始や、衛星放送、ケーブルテレビ、ネットワークを介した動画配信サービスの普及により、多様な映像データを記録し、視聴することが可能になっている。
【０００３】
また、受信している全てのテレビ放送を録画するレコーダ、所謂全録機や、入力したキーワードが一致した番組を自動的に録画するレコーダの普及により、大量の映像データを機械的に記録することが可能になっている。
【０００４】
このため、視聴する可能性のある映像データを機械的に記録しておき、都合の良い時に、この中から選んで視聴するといった視聴スタイルが提案されている。
【０００５】
しかし、これらの大量な映像データから視聴したい映像を見つける、又は各映像の概要を把握するためには、多大な時間と労力を必要とする。
【０００６】
そこで、映像データから要約映像を作成し、その要約映像を視聴することにより映像の概要を把握することが提案されている。
【０００７】
例えば、映像データから音響の盛上がりの大きさやキーワードなどにより特徴情報を抽出すると共に、ユーザの操作情報を記録して、その得点付けの評価により、その映像の時刻に対して、操作重要度を求める。また、映像からダイジェストの再生時刻を指定するためのパラメタにより定まるダイジェスト再生のためシーンに対してシーン重要度情報を生成する。そして、シーン重要度情報とダイジェスト再生の時間とによりダイジェスト再生位置情報を生成することが提案されている（特許文献１）。
【先行技術文献】
【特許文献】
【０００８】
【特許文献１】特開２００９−４９９４号公報
【特許文献２】国際公開第２００６／１６５９１号公報
【特許文献３】特開２００７−１８４７８１号公報
【特許文献４】特開２００３−２６４７７１号公報
【発明の概要】
【発明が解決しようとする課題】
【０００９】
映像データからダイジェストを作成する従来の装置は、音響の盛り上がりやユーザの操作情報に基づいて重要なシーンやユーザの嗜好を機械的に判断してダイジェストを作成するので、必ずしも適切なダイジェストが作成されるとは限らないという問題点があった。
【００１０】
一方、ＳＮＳ（Social Networking Site）の書き込み等によりテレビ番組の概要を知ることもできる。これらの書き込みは、実際に視聴した人の感想なので、機械的に作成された情報よりも適切な情報を得ることができるが、ＳＮＳの情報は、映像データと関連付けられていないため、ＳＮＳで話題のシーンをダイジェストで視聴するといったことは出来なかった。仮に、映像データを視聴したユーザがダイジェストを作成し、ネットワークを介して他のユーザに公開すれば、適切なダイジェストを提供することができるはずである
が、映像データの権利者の許可を得ずにダイジェストを提供することはできないため、このようにユーザが編集したダイジェストを自由に配信するシステムを実現することはできなかった。
【００１１】
また、例え権利者の許可が得られたとしても、ダイジェストを配信するには、ダイジェストを作成したユーザの端末からサーバへダイジェストのデータをアップロードし、このサーバから他のユーザがダウンロードすることになり、通信量が多大になるという問題点があった。
【００１２】
そこで、本発明は、操作手順情報に基づいて映像データを再生する技術の提供を目的とする。
【課題を解決するための手段】
【００１３】
上記課題を解決するため、本発明の映像再生装置は、
記憶媒体に記憶された映像データに対応して作成され、前記映像データ中の特定部分の映像を再生する操作手順、及び、前記映像データ中の特定部分の映像をスキップする操作手順を設定した操作手順情報を取得する取得手段と、
前記取得した操作手順情報に従って前記映像データを再生する再生手段と、
を備える。
前記映像再生装置は、
前記映像データ中の特定部分の映像を再生させる操作手順、及び、前記映像情報中の特定部分の映像をスキップする操作手順を示す操作手順情報を作成する操作手順生成手段と、
前記操作手順情報をサーバに送信する送信手段と、
を更に備えても良い。
【００１４】
また、本発明の映像再生システムは、
前記映像再生装置と、前記映像再生装置に前記操作手順情報を提供するサーバとを備え、
前記サーバが、前記映像再生装置に提供した前記操作手順情報の履歴に基づいて、前記映像再生装置に提供する操作手順情報を決定するリコメンド手段を備える。
【００１５】
また、本発明の映像再生方法は、
記憶媒体に記憶された映像データに対応して作成され、前記映像データ中の特定部分の映像を再生する操作手順、及び、前記映像データ中の特定部分の映像をスキップする操作手順を設定した操作手順情報を取得するステップと、
前記取得した操作手順情報に従って前記映像データを再生するステップと、
をコンピュータが実行する。
【００１６】
また、本発明は、上記方法をコンピュータに実行させるためのプログラムであっても良い。更に、前記プログラムは、コンピュータが読み取り可能な記録媒体に記録されていても良い。
【００１７】
ここで、コンピュータが読み取り可能な記録媒体とは、データやプログラム等の情報を電気的、磁気的、光学的、機械的、または化学的作用によって蓄積し、コンピュータから読み取ることができる記録媒体をいう。このような記録媒体の内コンピュータから取り外し可能なものとしては、例えばフレキシブルディスク、光磁気ディスク、CD-ROM、CD-R/W、DVD、DAT、８mmテープ、メモリカード等がある。
【００１８】
また、コンピュータに固定された記録媒体としてハードディスクやＲＯＭ（リードオン
リーメモリ）等がある。
【発明の効果】
【００１９】
本発明は、操作手順情報に基づいて映像データを再生する技術を提供できる。
【図面の簡単な説明】
【００２０】
【図１】図１は、実施形態に係る映像再生システムの概略図である。
【図２】図２は、コンピュータの一例を示す装置構成図である。
【図３】図３は、ログＤＢに記憶する操作手順情報の一例を示す図である。
【図４】図４は、操作手順情報に基づいて映像データを再生する処理の説明図である。
【図５】図５は、操作ログの表示例を示す図である。
【図６】図６は、ＤＭＣの操作画面例を示す図である。
【発明を実施するための形態】
【００２１】
以下、図面を参照して本発明を実施するための形態について説明する。以下の実施の形態の構成は例示であり、本発明は実施の形態の構成に限定されない。
（１）システムの概要
図１は、実施形態に係る映像再生システム１０の概略図である。映像再生システム１０は、操作手順情報を提供するサービス事業者のログサーバ１や、ユーザ宅において操作手順情報に基づいて映像データを再生するためのユーザ端末２０を有している。ユーザ端末２０は、映像再生装置の一形態であり、本実施形態では、映像データを記憶するデジタルメディアサーバ（ＤＭＳ）２、ＤＭＳ２から映像データを取得して再生するデジタルメディアプレーヤ（ＤＭＰ）３、ＤＭＳ２やＤＭＰ３を操作するデジタルメディアコントローラ（ＤＭＣ）４を有している。
【００２２】
ログサーバ１は、ログ送信部１１、視聴ログ受信部１２、操作ログ生成部１３、リコメンド部１４、ログＤＢ（操作手順記憶部）１５、ユーザ情報ＤＢ（ユーザ情報記憶部）１６を備え、操作手順情報の提供や収集を行う。操作手順情報は、映像データの再生やスキップ等、映像データを操作する手順を示す情報である。なお、本実施形態において、ログサーバ１から提供する操作手順情報を操作ログ、ユーザが映像情報を視聴した際の操作手順情報を視聴ログとも称する。
【００２３】
ログ送信部１１は、サービス事業者の作成した操作手順情報をＤＭＣ４等のユーザ端末２０へ送信する。
【００２４】
視聴ログ受信部１２は、ユーザが視聴した際の操作手順情報（視聴ログとも称す）をＤＭＣ等のユーザ端末２０から受信する。
【００２５】
操作ログ生成部１３は、受信した視聴ログを集約・加工して操作ログを生成する。また、操作ログ生成部１３は、映像データのメタ情報から操作ログを生成する。
【００２６】
リコメンド部１４は、視聴ログ等のユーザの属性情報に基づいて各ユーザに推奨する操作ログを決定する。
【００２７】
ログＤＢ１５は、生成した操作ログや受信した視聴ログを記憶する記憶部である。
【００２８】
ユーザ情報ＤＢ１６は、ユーザの認証や嗜好の推定のためのデータを記憶する記憶部である。
【００２９】
ＤＭＳ２は、チューナ２１、ディスクドライブ２２、メモリ読書部２３、通信制御部２４、リクエスト処理部２５、映像記憶部２６を備えている。
【００３０】
チューナ２１は、テレビ放送を受信し、受信したテレビ放送（映像データ）を映像記憶部２６に記憶させる。チューナ２１は、地上波や衛星波によるテレビ放送を受信するものに限らず、ケーブルを介してテレビ放送を受信するケーブルテレビのセットトップボックスであっても良い。
【００３１】
ディスクドライブ２２は、ＤＶＤやBlu-lay（登録商標）ディスク等の記憶媒体から映
像データを読み出す。
【００３２】
メモリ読書部２３は、メモリカード等の記憶媒体から映像データを読み出す。
【００３３】
通信制御部２４は、インターネット等のネットワークを介して動画の配信サイトから映像データを受信する。
【００３４】
リクエスト処理部２５は、ＤＭＣ４等のユーザ端末２０から受信したリクエストに応じて映像記憶部２６やディスクドライブ２２、メモリ読書部２３、通信制御部２４から映像データを取得してＤＭＰ３へ送出する。
【００３５】
映像記憶部２６は、チューナ２１等によって受信した映像データを記憶する。
【００３６】
ＤＭＰ３は、デコード部３１、表示装置３２、スピーカ３３を備え、デコード部３１がＤＭＳ２から映像データを取得してデコードし、表示装置３２に映像を表示させる、及びスピーカ３３から音出力させることにより、映像データの再生を行う。
【００３７】
ＤＭＣ４は、操作部４１や、操作ログ取得部（取得手段）４２、操作要求部（再生手段）４３、視聴ログ生成部（操作手順生成手段及び送信手段）４４を備えている。
【００３８】
操作部４１は、チャンネルの選択、再生、停止、録画、早送り、戻し、スロー、スキップ、音量調整など、映像データの再生に係る操作が行われるユーザインターフェースである。
【００３９】
操作ログ取得部４２は、ログサーバ１から操作ログを取得する。操作ログの取得は、ユーザが任意に選択した操作ログを取得するものでも良いし、リコメンドされた操作ログやキーワード等が一致した操作ログを取得するようにしても良い。
【００４０】
操作要求部４３は、操作ログに基づいて、映像データの選択や再生といった操作をＤＭＳ２に要求する。
【００４１】
視聴ログ生成部４４は、映像データの視聴中に操作部４１から行われた早送り、戻し、スキップ、停止等の操作を視聴ログとして生成する。
【００４２】
本実施形態では、ユーザ端末２０が、ＤＭＳ２、ＤＭＰ３、ＤＭＣ４といった複数の装置から構成される例を示したが、これに限らず、映像再生装置としてのユーザ端末２０は、少なくとも取得手段と再生手段の機能を有していれば良く、上記ＤＭＳ２、ＤＭＰ３、ＤＭＣ４を組み合わせた一つの装置であっても、他の組み合わせで構成されるものであっても良い。例えば、ユーザ端末２０が、ＤＭＳ２、ＤＭＰ３、ＤＭＣ４の何れか一つの装置であっても良いし、ＤＭＰ３とＤＭＣ４とを一体とした構成や、ＤＭＳ２とＤＭＰ３とを一体とした構成、ＤＭＳ２とＤＭＣ４とを一体とした構成としても良い。
【００４３】
＜装置構成＞
図２は、コンピュータの一例を示す装置構成図である。ログサーバ１、ＤＭＳ２、ＤＭＰ３、ＤＭＣ４は、図２に示すようなコンピュータであっても良い。図２に示すコンピュータ１０００は、ＣＰＵ（Central Processing Unit）１００１、主記憶装置１００２、
補助記憶装置１００３、通信ＩＦ（Interface）１００４、入出力ＩＦ（Interface）１００５、ドライブ装置１００６、通信バス１００７を備えている。ＣＰＵ１００１は、プログラム（「ソフトウェア」又は「アプリケーション」とも呼ぶ）を実行することにより本実施の形態に係る処理を行う。主記憶装置１００２は、ＣＰＵ１００１が読み出したプログラムやデータをキャッシュしたり、ＣＰＵの作業領域を展開したりする。
【００４４】
主記憶装置は、具体的には、ＲＡＭ（Random Access Memory）やＲＯＭ（Read Only Memory）等である。補助記憶装置１００３は、ＣＰＵ１００１により実行されるプログラムや、本実施の形態で用いる設定情報などを記憶する。補助記憶装置１００３は、具体的には、ＨＤＤ（Hard-disk Drive）やＳＳＤ（Solid State Drive）、フラッシュメモリ等である。主記憶装置１００２や補助記憶装置１００３は、ログサーバ１のログＤＢ１５やユーザ情報ＤＢ１６、ＤＭＳ２の映像記憶部２６、その他の一時データを記憶する手段として働く。通信ＩＦ１００４は、他のコンピュータとの間でデータを送受信する。通信ＩＦ１００４は、具体的には、有線又は無線のネットワークカード等である。
【００４５】
入出力ＩＦ１００５は、入出力装置と接続され、ユーザから操作を受け付けたり、ユーザへ情報を提示したりする。入出力装置は、具体的には、キーボード、マウス、ディスプレイ、タッチパネル等である。ドライブ装置１００６は、磁気ディスク、光磁気ディスク、光ディスク等の記憶媒体に記録されたデータを読み出したり、記憶媒体にデータを書き込んだりする。以上のような構成要素が、通信バス１００７で接続されている。なお、これらの構成要素はそれぞれ複数設けられていてもよいし、一部の構成要素（例えば、ドライブ装置１００６等）を設けないようにしてもよい。また、入出力装置がコンピュータと一体に構成されていてもよい。また、ドライブ装置１００６で読み取り可能な可搬性の記憶媒体や、フラッシュメモリのような可搬性の補助記憶装置１００３、通信ＩＦ１００４などを介して、本実施の形態で実行されるプログラムが提供されるようにしてもよい。そして、ＣＰＵ１００１が所定のプログラムを実行することにより、図２に示したコンピュータを前述のログサーバ１や、ＤＭＳ２、ＤＭＰ３、ＤＭＣ４等として動作させる。
【００４６】
＜データ構造＞
図３は、ログＤＢ１５に記憶する操作手順情報の一例を示す図である。図３に示すように操作手順情報は、ログＩＤ、対象ＩＤ、ログタイトル、操作手順を有している。
【００４７】
ログＩＤは、操作手順情報を一意に識別するための情報であり、対象ＩＤは、操作対象とする映像データを一意に識別するための情報である。図３の対象ＩＤは、局ＩＤとコンテンツＩＤとからなり、テレビ番組（映像データ）を放送した放送局を特定する局ＩＤと当該局で放送したテレビ番組（映像データ）を特定するコンテンツＩＤの組み合わせによって、映像データを一意に識別できるようにしている。また、ＤＶＤやBlu-layディスク
に記録された映像データの場合、対象ＩＤは、規格品番やＪＡＮコードであっても良い。インターネット等のネットワークを介して提供される映像データの場合、対象ＩＤは映像データのＵＲＬであっても良い。更に、TV Anytimeシステムにおける映像データの場合、対象ＩＤは、CRID（Content Reference ID）であっても良い。
【００４８】
また、操作手順は、映像データを再生する際、再生、早送り、スキップ、停止等の操作を示す情報である。なお、各操作の情報は、操作の種類と共に、操作を行うタイミング（映像データ中の位置）を示す。例えば、次のように、操作を行うタイミングを示すタイム
コードと操作の種類とを対応付けて順に記録する。
00:01:15.20  再生
00:02:30.10  早送り（４倍速再生）
00:03:00.15  再生
00:05:15.25  スキップ
00:10:03.05  再生
00:15:50.06  終了
この操作手順情報の例では、最初の操作が“00:01:15.20  再生”と記録されているの
で、映像データの先頭から１分１５秒２０フレーム目から再生を行う。そして、次の操作が、“00:02:30.10  早送り（４倍速再生）”であるので、２分３０秒９フレーム目まで
再生を行った後、２分３０秒１０フレーム目から早送り（４倍速再生）を行う。また、次の操作が、“00:03:00.15  再生”であるので、３分００秒１４フレーム目まで早送りし
た後、３分００秒１５フレーム目から再生を行う。
【００４９】
更に、次の操作が、“00:05:15.25  スキップ” その次の操作が、“00:10:03.05  再
生”であるので、５分１５秒２４フレーム目まで再生した後、次に１０分０３秒５フレーム目から再生を行う。即ち。５分１５秒２５フレーム目から１０分０３秒４フレーム目までをスキップする。
【００５０】
そして、次の操作が、“00:15:50.06  終了”であるので、１５分５０秒５フレーム目
まで再生した後、１５分５０秒６フレーム目で映像データの再生を終了する。
【００５１】
このように上記操作手順情報に基づいて再生を行うことで、１分１５秒２０フレーム目から２分３０秒９フレーム目まで、３分００秒１５フレーム目から５分１５秒２４フレーム目まで、そして１０分０３秒５フレーム目から１５分５０秒５フレーム目までの約９分１７秒の再生時間としたダイジェスト再生を行うことができる。即ち、操作手順情報は、映像データ中の再生する部分を設定すると共に、映像データ中のスキップする部分を設定する。上記の例では、映像データの先頭から１分１５秒１９フレーム目まで、２分３０秒１０フレーム目から３分００秒１４フレーム目まで、５分１５秒２５フレーム目から１０分０３秒４フレーム目まで、１５分５０秒６フレーム目から映像データの最後までがスキップする部分である。なお、本実施形態では、早送り（ｎ倍速再生）部分もダイジェストを作成する上で再生時間を短くすることに寄与するので、スキップする部分に含めている。これに限らず、早送り（ｎ倍速再生）する部分を再生する部分に含めても良い。例えば、４倍速以下は再生する部分と定義し、８倍速以上はスキップする部分と定義しても良い。
【００５２】
上記の例では省略したが、早戻し（逆再生）期間は、スキップする部分としても良い。また、スロー再生する部分は、再生する部分と定義しても良い。
なお、一つの操作ログで操作する映像情報は、一つに限らず、異なる番組や異なるチャンネルの映像データをまとめて再生するものでも良い。例えば、特定の野球チームの試合結果について、複数のスポーツニュースの映像データをまとめたものや、特定のタレントが出演している映像データをまとめたものであっても良い。
【００５３】
＜映像再生方法＞
図４は、操作手順情報に基づいて映像データを再生する処理の説明図である。ＤＭＣ４は、起動時等の所定のタイミングや周期的なタイミングでＤＭＳ２にアクセスし、ＤＭＳ２に記憶されている映像データの情報を要求する（ステップＳ１０）。
【００５４】
この要求に応じてＤＭＳ２は、記憶している映像データの対象ＩＤ、即ち局ＩＤとコンテンツＩＤのリストを要求元のＤＭＣ４へ送信する（ステップＳ２０）。
【００５５】
ＤＭＣ４は、ログサーバ１にアクセスしてログインし、ＤＭＳ２から取得した対象ＩＤのリストをログサーバ１へ送信して操作ログを要求する（ステップＳ３０）。
【００５６】
ログサーバ１は、受信した対象ＩＤと対応する操作ログをログＤＢ１５から読み出すと共に、ログインしたユーザのユーザＩＤやＤＭＣ４の識別情報に基づいて、ユーザを特定し、当該ユーザに対するリコメンド情報を生成する（ステップＳ４０）。例えば、ユーザ情報ＤＢ１６から当該ユーザの属性情報を読み出し、属性情報として登録されているユーザの好みのジャンルや、贔屓の球団、好きなタレント等と関連性の高い操作ログをレコメンド情報とする。また、当該ユーザと同じ操作ログを視聴した他のユーザが新たに選択した操作ログを協調フィルタリングによって求めてリコメンド情報とする。
【００５７】
そして、ログサーバ１は、要求された操作ログとリコメンド情報をＤＭＣ４へ送信する（ステップＳ５０）。ＤＭＣ４は、ログサーバ１から取得した操作ログのタイトルや映像時間（再生時間）を図５に示すように一覧表示して、視聴に用いる操作ログの選択をユーザに促す（ステップＳ６０）。なお、ＤＭＳ２が、所謂全録機であり、地上波の全てのチャンネルや、衛星波の選択したチャンネルのテレビ番組を常に録画している場合、このチャンネルで放送されている全ての番組（映像データ）が記憶されているはずなので、ＤＭＳ２から対象ＩＤのリストを取得するステップを省略して、ログサーバ１から当該チャンネルで放送されているテレビ番組の操作ログを取得するようにしても良い。
【００５８】
ユーザが視聴に用いる操作ログを選択した場合、ＤＭＣ４は、選択された操作ログに従ってＤＭＳ２を操作する。即ち、対象ＩＤによって映像データを特定し、当該映像データに対して再生やスキップ等を行う（ステップＳ７０）。この操作により、再生する部分の映像データをＤＭＰ３へ送って再生させる（ステップＳ８０）。
【００５９】
また、操作ログに基づく再生中に、ユーザによる操作を加えることもでき、ＤＭＣ４は、ユーザによる操作も含めて再生の制御を行う（ステップＳ９０）。例えば、操作ログに基づく早送り中にユーザが操作部４１を操作して再生を選択した場合、早送りを中止して再生を行う。また、操作ログに基づく再生中にユーザが早送りやスキップを選択した場合、再生を中断してユーザによる早送りやスキップの操作を優先する。
【００６０】
そして、ＤＭＣ４は、ユーザによる操作も含めて視聴の結果を視聴ログとして作成する（ステップＳ１００）。即ち、ユーザによる操作を加えなかった場合には、元の操作ログと同じ操作手順の視聴ログが作成され、ユーザによる操作が行われた場合には、この操作を加えた視聴ログが作成される。
【００６１】
この視聴ログをＤＭＣ４がログサーバ１へ送信すると（ステップＳ１１０）、ログサーバ１は、受信した視聴ログを当該ユーザの識別情報と対応付けてログＤＢ１５に記憶する。また、ログサーバ１は、受信した視聴ログを一意に識別するログＩＤを新たに付加し、元となった操作ログＩＤも元ログＩＤとして保持する。即ち、この視聴ログによって、どの操作ログをどのユーザが視聴したのかが記録される。
【００６２】
また、ログサーバ１は、視聴ログを集約・加工して操作ログを生成する（ステップＳ１２０）。例えば、操作ログを視聴に用いたユーザのうち、当該操作ログでスキップしていた部分を視聴したユーザの割合が所定値以上であった場合、これらのユーザが視聴した個所を再生する部分に加えた操作ログを生成する。また、操作ログを視聴に用いたユーザのうち、当該操作ログで再生していた部分をスキップしたユーザの割合が所定値以上であった場合、これらのユーザがスキップした個所を再生する部分から除いた、即ちスキップする部分とした操作ログを生成する。更に、視聴ログを操作ログＩＤを更新して、新たな操
作ログとして提供しても良い。
【００６３】
図６は、ＤＭＣ４における操作画面例を示す図である。図６のＤＭＣ４では、ユーザによる操作を行うための操作部４１や、操作手順情報に基づく操作を示すためのシークバー７０が表示されている。シークバー７０は、再生を行う映像情報の縮小画像が時系列に並んで表示されて成り、操作タイミングに応じた位置に各操作を示すアイコン７１〜７４が表示されている。スライダ７９が再生している現在位置を示し、再生位置を示すアイコン７１が再生開始位置（再生を行う操作タイミング）を示し、アイコン７２が早送り位置を示す。また、アイコン７３がスキップ位置を示し、アイコン７４が停止位置を示す。即ち、スライダ７９がアイコン７２の位置に達すると、次の再生アイコン７１の位置まで早送りが行われる。そして再生アイコン７１の位置から通常の再生が行われ、スライダ７９がアイコン７３の位置に達すると、次の再生アイコン７１の位置まスキップされる。そして、再生アイコン７１の位置から通常の再生が行われ、スライダ７９がアイコン７４の位置に達すると再生が終了する。なお、各アイコン７１〜７４をドラッグして、シークバー上の位置を変えることで、操作タイミングを変更することもできる。即ち、スキップの開始位置や早送りの開始位置などを変更できる。
【００６４】
このように本実施形態によれば、操作手順情報に基づいて映像データをダイジェスト再生することができる。また、本実施形態によれば、操作手順情報のみを流通させるので、映像データに係る権利を侵害することなく、ダイジェスト情報を共有できる。更に、ダイジェスト情報として映像データを送信しないのでダイジェスト再生に係るトラフィックを抑えることができる。
【００６５】
〈その他〉
本発明は、上述の図示例にのみ限定されるものではなく、上記の各要素を組み合わせるなど、本発明の要旨を逸脱しない範囲内において種々変更を加え得ることは勿論である。
【符号の説明】
【００６６】
１    ログサーバ
２    コンテンツサーバ
１０  映像再生システム
１１  ログ送信部
１２  視聴ログ受信部
１３  操作ログ生成部
１４  リコメンド部
２０  ユーザ端末
２１  チューナ
２２  ディスクドライブ
２３  メモリ読書部
２４  通信制御部
２５  リクエスト処理部
２６  映像記憶部
３１  デコード部
３２  表示装置
３３  スピーカ
４１  操作部
４２  操作ログ取得部
４３  操作要求部
４４  視聴ログ生成部
７０  シークバー
７１-７４   アイコン
【図１】
2016025470.tif 000003
【図２】
2016025470.tif 000004
【図３】
2016025470.tif 000005
【図４】
2016025470.tif 000006
【図５】
2016025470.tif 000007
【図６】
2016025470.tif 000008